(57)【特許請求の範囲】
【請求項１】
外周壁２を起立する第１底板３中央部を開口して、該開口周縁から有底の第１筒部４を垂下し、該筒部下端の第２底板５外周部に第１排水孔６を穿設した基部材１と、
フランジ状に設けた第３底板12の内外周縁から内筒13と外筒14とを起立する環状溝形成部15を設けて内筒の下部内面に内向きフランジ状に受座16を付設し、又該受座ないし第３底板から脚部18と該脚部よりも下方まで垂下させて複数の弾性脚片17とを垂下し、弾性脚片下端を第１底板３上面へ載置させて外筒14を基部材の外周壁２内へ上下動可能に嵌合させ、又第３底板12に第２排水孔19を穿設した環状水入れ部材11と、
上記受座16上方の内筒部分内へ嵌合させた、有頂の大径筒部22下端の内向きフランジ23を上記受座16上へ載置させ、又該内向きフランジ内周から第１筒部４内へ遊挿させて第２筒部24を垂下し、かつ該第２筒部の下部内に吐出弁付きの第３筒部25を嵌着させた薬液収納筒21とからなり、
上記吐出弁は、第３筒部の下部内面に付設した内向きフランジ状の弁座27と、該弁座上面へ弁頭28を載置させて弁軸29を第３筒部25下方まで垂下するポペット弁30とで形成し、
上記環状溝形成部15が充水により弾性脚片17の弾性に抗し下降して、脚部18下端が第１底板３に接したとき、弁軸下端が第２底板５に接し停止して吐出弁26が開弁可能に形成した
ことを特徴とするトイレ用薬液排出器。
【請求項２】
弁軸29外径を、弁座27の内周面が形成する弁孔とほぼ同径として弁孔内へ水密にかつ上下動自在に嵌合させると共に、弁軸29外面には微少量の液体だけを通過させる細溝31を縦設した
ことを特徴とする、請求項１記載のトイレ用薬液排出器。
【請求項３】
弁頭28上面から単数ないし複数の弾性螺条線32を起立し、螺条線上端に嵌合リング33を一体に付設したポペット弁付き部材34を合成樹脂材で一体成形しておき、嵌合リング33を第３筒部25の上端部内面に周設した係合突条の下内面へ係合させて、上記螺条線の弾性で弁頭28下面を弁座27上面へ圧接させた
ことを特徴とする請求項１又は２記載のトイレ用薬液排出器。
【発明の詳細な説明】
【０００１】
【発明の属する技術分野】
本発明は、トイレ用薬液排出器に関する。
【０００２】
【従来の技術】
この種の薬液排出器として従来多くのものが知られているが、例えば実開平5‐14277 号においては、水洗タンクの透孔付き蓋板上に載置させる透孔付き深皿状部材の上部内へ、薬液入り容器体を倒立させて支持させ、又その容器体の口頸部内からはフロートを吊下げて、上記タンク内水の排水により手洗い用の水が深皿状部材内へ入るとフロートが薬液入り容器体内へ上昇して薬液が流下し、深皿状部材内の水がタンク内へ入って減少すると上記フロートが下降して薬液の流出が停止するよう設けている。
【０００３】
【発明が解決しようとする課題】
上記薬液排出器は、フロートの上下動により薬液を流出させ、又その流出を停止させるため、比較的多量の薬液を流出させることとなるものであった。
【０００４】
本発明は、主として微量の薬液を流出させるに適した薬液排出器を提案するものである。
【０００５】
【課題を解決するための手段】
第１の手段として外周壁２を起立する第１底板３中央部を開口して、該開口周縁から有底の第１筒部４を垂下し、該筒部下端の第２底板５外周部に第１排水孔６を穿設した基部材１と、
フランジ状に設けた第３底板12の内外周縁から内筒13と外筒14とを起立する環状溝形成部15を設けて内筒の下部内面に内向きフランジ状に受座16を付設し、又該受座ないし第３底板から脚部18と該脚部よりも下方まで垂下させて複数の弾性脚片17とを垂下し、弾性脚片下端を第１底板３上面へ載置させて外筒14を基部材の外周壁２内へ上下動可能に嵌合させ、又第３底板12に第２排水孔19を穿設した環状水入れ部材11と、
上記受座16上方の内筒部分内へ嵌合させた、有頂の大径筒部22下端の内向きフランジ23を上記受座16上へ載置させ、又該内向きフランジ内周から第１筒部４内へ遊挿させて第２筒部24を垂下し、かつ該第２筒部の下部内に吐出弁付きの第３筒部25を嵌着させた薬液収納筒21とからなり、
上記吐出弁は、第３筒部の下部内面に付設した内向きフランジ状の弁座27と、該弁座上面へ弁頭28を載置させて弁軸29を第３筒部25下方まで垂下するポペット弁30とで形成し、
上記環状溝形成部15が充水により弾性脚片17の弾性に抗し下降して、脚部18下端が第１底板３に接したとき、弁軸下端が第２底板５に接し停止して吐出弁26が開弁可能に形成した。
【０００６】
第２の手段として上記第１の手段を有すると共に弁軸29外径を、弁座27の内周面が形成する弁孔とほぼ同径として弁孔内へ水密にかつ上下動自在に嵌合させると共に、弁軸29外面には微少量の液体だけを通過させる細溝31を縦設した。
【０００７】
第３の手段として上記第１又は第２の手段を有すると共に弁頭28上面から単数ないし複数の弾性螺条線32を起立し、螺条線上端に嵌合リング33を一体に付設したポペット弁付き部材34を合成樹脂材で一体成形しておき、嵌合リング33を第３筒部25の上端部内面に周設した係合突条の下内面へ係合させて、上記螺条線の弾性で弁頭28下面を弁座27上面へ圧接させた。
【０００８】
【発明の実施の形態】
本発明の薬液排出器は基部材と環状水入れ部材と薬液収納筒とからなる。
基部材１は、外周壁２を起立する第１底板３中央部を開口して、該開口周縁から有底の第１筒部４を垂下し、該第１筒部下端の第２底板５外周部に適当数の第１排水孔６を穿設する。第２底板中央部は図示のように隆起させるとよい。
【０００９】
第１筒部４は、図示のようにトイレ貯水タンク用蓋板７の中央部等に穿設されている、透孔８内へ遊挿可能とするもので、第１底板３はその蓋板上へ載置させる。図示例では外周壁２上部から下外方へ装飾板９を垂下している。外周壁２内面には複数の係合板を縦設している。
【００１０】
環状水入れ部材11は、フランジ状の第３底板12の内外周縁から内筒13と外筒14とを起立する環状溝形成部15を有し、内筒13下部内面に内向きフランジ状の受座16を付設し、該受座内面から複数弾性脚片17をほぼ等間隔に垂下してその下端を第１底板３上へ載置しており、又内筒下端から弾性脚片よりも短かく脚部18を垂下している。該脚部は一部を切欠いた筒状でもよく、又複数突部で形成してもよい。第３底板12内周と内筒下端との連続部に第２排水孔19を穿設している。上記外筒14は基部材の外周壁２内へ上下動可能に嵌合させる。
【００１１】
薬液収納筒21は、受座16上方の内筒部分内へ嵌合させた、有頂の大径筒部22下端に内向きフランジ23を付設して上記受座16上へ載置させ、又該内向きフランジ内周から第１筒部４内へ遊挿させて第２筒部24を垂下し、かつ該第２筒部の下部内に下部を下方突出して吐出弁付きの第３筒部25を嵌着させている。
【００１２】
上記吐出弁26は、第３筒部25の下部内面に付設した内向きフランジ状の弁座27と、その弁座上へ弁頭28を載置させて弁孔を通り弁軸29を第３筒部25下方まで垂下するポペット弁30とで形成し、既述環状溝形成部15が下降するとき、弁軸29下端が第２底板５に接し、下降を停止して吐出弁26が開弁するよう設けている。図示例では弁孔内径と弁軸29外径とをほぼ同径とし、弁軸外面に微少量の液体だけを通過させる細溝31を縦設して、上記開弁によりその細溝を通り薬液が流下するよう設けている。
【００１３】
又図示例にあってはポペット弁の弁頭28上面から複数の弾性螺条線32を起立し、螺条線上端に嵌合リング33を一体に付設した形状のポペット弁付き部材34を合成樹脂材で一体成形し、その嵌合リングを第３筒部25の上端部内面に周設した係合突条の下内面へ係合させて、上記螺条線の弾性で弁頭28下面を弁座27上面へ圧接させている。但しポペット弁を充分な比重を有するもので形成すれば、上記螺条線、ないし該螺条線に代る他のスプリング等は不要で、薬液収納筒21正立時等における、ポペット弁抜出しを防止する係合機構を第３筒部25内面に付設すれば足る。
【００１４】
上記構成において、貯水タンク内液体の排水と同時に蓋板７から起立する排水パイプを介して手洗水が環状溝形成部15内へ入り、重量が増すにつれて弾性脚片17の弾性に抗して図２が示すように環状溝形成部は下降して脚部18下端が第１底板３に接する。環状溝形成部15内へ入った水は第２排水孔19を通り、又第１筒部４と第２筒部24との間隙内を通り流下して第１排水孔６を通って貯水タンク内へ入る。薬液収納筒21は、内向きフランジ23を環状水入れ部材11の受座16上へ載置させているから、環状水入れ部材の環状溝形成部15が下降すると、図２が示すようにポペット弁30は弁軸29下端が第２底板５に接して停止するに対して薬液収納筒21は受座16を有する環状溝形成部と共に下降することとなり、よって弁頭28が弁座27から離れて吐出弁26が開弁し、すると細溝31を通って弁座27下方へ薬液が流下して第１筒部４下部内の水と混合し、共に第１排水孔６から貯水タンク内へ流下するものである。
【００１５】
環状水入れ部材11は、環状溝形成部15内の水が減少して、軽量化するに従って弾性脚片17の弾性復元によって上昇し、すると薬液収納筒21も共に引き上げられることとなって、第３筒部25上昇で弁座27が弁頭28に接してポペット弁30を引上げ、吐出弁26を閉塞する。
【００１６】
【発明の効果】
本発明は既述構成とするもので、基部材１は第１底板３中央部を開口して、第１筒部４を垂下するから、その第１筒部を貯水タンク蓋板７の透孔８内へ挿入させて第１底板をその蓋板上へ載置することで、その基部材が蓋板７に対して盲動することがない。
【００１７】
又基部材１の外周壁２内へ外筒14を上下動可能に嵌合させて環状水入れ部材11を設け、該部材から垂設した複数の弾性脚片17下端を第１底板３上へ載置させたから、該環状水入れ部材の環状溝形成部15内が充水されたとき、その弾性脚片よりも短かく設けた脚部18下端が第１底板３へ接するまで、環状水入れ部材の内筒13内へ係止させた薬液収納筒21を下降させることが出来ると共に、環状溝形成部内液体が第１排出孔６から流出すると再び薬液収納筒21を環状溝形成部15と共に上昇させることが出来る。
【００１８】
又薬液収納筒21の第２筒部24内へは吐出弁付きの第３筒部25を嵌着させ、該吐出弁26は、第３筒部の下部内面に付設した内向きフランジ状の弁座27と、該弁座上面へ弁頭28を載置させて弁軸29を弁孔を通って第３筒部25よりも下方まで垂下するポペット弁30とで形成して、薬液収納筒21下降時には弁軸29下端が基部材第１筒部４の第２底板５に接し停止して吐出弁26が開弁するよう設けたから、又上記薬液収納筒の上昇と共に吐出弁は自動的に閉塞するから、よって環状溝形成部15および第１排水孔の大きさの調整、又弁孔内径と弁軸29外径との径差を変えることによって吐出弁が開弁してから閉弁するまでの時間的長短の調整、およびその吐出弁を通って流下する薬液量の調整を自由に行うことが出来る便利がある。
【００１９】
ポペット弁30の弁軸外径を、弁孔とほぼ同径として弁孔内へ水密にかつ上下動自在に嵌合させると共に、弁軸29外面へ微少量の液体だけを通過させる細溝31を縦設することで、貯水タンク内へ流下する薬液量を微少量とすることが容易である。
【００２０】
ポペット弁の弁頭上面から弾性螺条線32を起立し、該螺条線上端に嵌合リング33を付設したポペット弁付き部材34を合成樹脂材で一体成形しておき、嵌合リングを第３筒部25の上端部内面に周設した係合突条の下内面へ係合させて、弁頭28下面を弁座27上面へ圧接させることで、その第３筒部25とポペット弁30とを一体的な部材とすることが出来、よって第３筒部内からポペット弁が外れるようなことがなく、薬液収納筒21の形成も容易となる。
【図面の簡単な説明】
【図１】  トイレの貯水タンク蓋板上に設置した状態で示す、本発明薬液排出器の半断面図である。
【図２】  図１の薬液排出器を、薬液流下状態で示す半断面図である。
【図３】  図１薬液排出器の主要部材を、一部切欠いて示す、斜視図である。
【符号の説明】
１…基部材                      11…環状水入れ部材
15…環状溝形成部                21…薬液収納筒
30…ポペット弁
【図１】
0003638080.tif 000002
【図２】
0003638080.tif 000003
【図３】
0003638080.tif 000004